【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2007516315.tif 000001
（式中、
Ａｒ１及びＡｒ２は、互いに独立して、Ｃ６〜Ｃ３０アリール基又はＣ２〜Ｃ２６ヘテロアリール基であり、これらは場合により置換されることができ、
Ｒ１及びＲ２は、同じか又は異なっていてもよく、１つ以上の酸素原子により場合により中断されることができるＣ１〜Ｃ２５アルキル基、Ｃ１〜Ｃ４アルキルで１〜３回置換されることができるアリル基、Ｃ１〜Ｃ８アルキル又はＣ１〜Ｃ８アルコキシで１〜３回置換されることができるシクロアルキル基、又はフェニルにより１〜２回縮合されることができ、このフェニルは、Ｃ１〜Ｃ４アルキル、ハロゲン、ニトロ、若しくはシアノで１〜３回置換されることができるシクロアルキル基、アルケニル基、シクロアルケニル基、アルキニル基、ハロアルキル基、ハロアルケニル基、ハロアルキニル基、ケトン若しくはアルデヒド基、エステル基、カルバモイル基、ケトン基、シリル基、シロキサニル基、Ａｒ３又は−ＣＲ３Ｒ４−（ＣＨ２）ｇ−Ａｒ３
（ここで、Ｒ３及びＲ４は、互いに独立して、水素、フッ素、シアノ、又はフッ素、塩素、若しくは臭素により置換されることができるＣ１〜Ｃ４アルキル、又はＣ１〜Ｃ４アルキルで１〜３回置換されることができるフェニルを意味し、
Ａｒ３は、アリール又はヘテロアリール、特に、Ｃ１〜Ｃ８アルキル及び／又はＣ１〜Ｃ８アルコキシで１〜３回置換されることができるフェニル又は１−若しくは２−ナフチルを意味し、ｇは、０、１、２、３、又は４を意味する）
から選択される）
で示される反復単位を含むポリマー。
【請求項２】
Ａｒ１及びＡｒ２が、互いに独立して、
【化２】
2007516315.tif 000002
であり、
ここで、Ｒ３８は、水素、Ｃ６〜Ｃ１０アリール、Ｃ７〜Ｃ１２アルキルアリール、Ｃ７〜Ｃ１２アラルキル、又はＣ１〜Ｃ８アルキルを意味する、請求項１に記載のポリマー。
【請求項３】
Ａｒ１及びＡｒ２が、互いに独立して、
【化３】
2007516315.tif 000003
であり、
ここで、Ｒ２５、Ｒ２６、及びＲ２７は、互いに独立して、水素、Ｃ１〜Ｃ２５アルキル、Ｃ１〜Ｃ２５アルコキシ、−ＣＲ１１Ｒ１２−（ＣＨ２）ｇ−Ａｒ６、シアノ、ＮＯ２、ハロゲン、−ＯＲ２９、−ＮＲ２９Ｒ３０、−Ｓ（Ｏ）ｐＲ３１、Ｃ２〜Ｃ８ヘテロアリール、例えばチオフェニル、又はＣ１〜Ｃ８アルキル又はＣ１〜Ｃ８アルコキシで１〜３回置換されることができるＣ６〜Ｃ１４アリール、例えばフェニルを意味し、ここでＲ２９及びＲ３０は、互いに独立して、Ｈ、Ｃ１〜Ｃ２５−アルキル、Ｃ５〜Ｃ１２−シクロアルキル、−ＣＲ１１Ｒ１２−（ＣＨ２）ｇ−Ｐｈ、Ｃ６〜Ｃ２４アリール、又は環原子数５〜７を含む飽和若しくは不飽和複素環基を意味し、ここで環は、炭素原子と、窒素、酸素、及び硫黄からなる群より選択された１〜３個のヘテロ原子とからなり、Ｒ３１は、Ｃ１〜Ｃ２５アルキル又はＣ６〜Ｃ１４アリールを意味し、Ｒ２８は、Ｃ６〜Ｃ３０アリーレン、特に
【化４】
2007516315.tif 000004
を意味し、
ｐは、０、１、２、又は３を意味し、ｇ及びｈは０、１、２、３、又は４を意味し、
Ａｒ６は、フェニル又は１−若しくは２−ナフチル（これはＣ１〜Ｃ８アルキル、Ｃ１〜Ｃ８アルコキシ、ハロゲン、ニトロ、シアノ、Ｃ１〜Ｃ８アルキル又はＣ１〜Ｃ８アルコキシで１〜３回置換されることができるフェニル、−ＮＲ２３Ｒ２４（ここでＲ２３及びＲ２４は、水素、Ｃ１〜Ｃ２５−アルキル、Ｃ５〜Ｃ１２−シクロアルキル又はＣ６〜Ｃ２４−アリールを示す）により１〜３回置換されることができる）、特にＣ１〜Ｃ８アルキル、Ｃ１〜Ｃ８アルコキシ、ハロゲン又はシアノで１〜３回置換されることができるフェニル又は１−若しくは２−ナフチル、或はＣ１〜Ｃ８アルキル又はＣ１〜Ｃ８アルコキシで１〜３回置換されることができるフェニルを意味し、
Ｒ１１及びＲ１２は、互いに独立して、水素、フッ素、シアノ、又はフッ素により置換されることができるＣ１〜Ｃ４アルキル、又はＣ１〜Ｃ４アルキルにより１〜３回置換されることができるフェニル、又は
【化５】
2007516315.tif 000005
を意味し、
ここでＲ２９’は、Ｈ、Ｃ１〜Ｃ２５−アルキル、Ｃ５〜Ｃ１２−シクロアルキル、−ＣＲ１１Ｒ１２−（ＣＨ２）ｇ−Ｐｈ、Ｃ６〜Ｃ２４アリールを意味し、
Ｒ３０’は、Ｃ６〜Ｃ３０アリーレン、特に
【化６】
2007516315.tif 000006
を意味するか、或は
Ｒ２９’及びＲ３０’は、それらが結合している窒素と一緒に、式
【化７】
2007516315.tif 000007
で示される基を形成し、
ｇ、Ｒ１１、Ｒ１２、Ｒ２５、及びＲ２６は、先に定義した通りである、請求項１に記載のポリマー。
【請求項４】
【化８】
2007516315.tif 000008
2007516315.tif 000009
（式中、
ｒは、１〜１０の整数であり、特に、１、２、又は３であり、
ｑは、１〜１０の整数であり、特に、１、２、又は３であり、
ｓは、１〜１０の整数であり、特に、１、２、又は３であり、
Ｒ６及びＲ７は、互いに独立して、Ｈ、ハロゲン、−ＣＮ、Ｃ１〜Ｃ１８アルキル、Ｅにより置換され及び／又はＤにより中断されているＣ１〜Ｃ１８アルキル、Ｃ６〜Ｃ２４アリール、Ｇにより置換されているＣ６〜Ｃ２４アリール、Ｃ２〜Ｃ２０ヘテロアリール、Ｇにより置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅにより置換及び／又はＤにより中断されているＣ１〜Ｃ１８アルコキシ、Ｃ７〜Ｃ２５アラルキル、−Ｃ（＝Ｏ）−Ｒ１７、−Ｃ（＝Ｏ）ＯＲ１７、又は−Ｃ（＝Ｏ）ＮＲ１７Ｒ１６であり、
Ｒ９及びＲ１０は、互いに独立して、Ｈ、Ｃ１〜Ｃ１８アルキル、Ｅにより置換及び／又はＤにより中断されているＣ１〜Ｃ１８アルキル、Ｃ６〜Ｃ２４アリール、Ｇにより置換されているＣ６〜Ｃ２４アリール、Ｃ２〜Ｃ２０ヘテロアリール、Ｇにより置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅにより置換され及び／又はＤにより中断されているＣ１〜Ｃ１８アルコキシ、又はＣ７〜Ｃ２５アラルキルであるか、あるいは
Ｒ９及びＲ１０は一緒に式＝ＣＲ１００Ｒ１０１で示される基を形成し、ここで
Ｒ１００及びＲ１０１は、互いに独立して、Ｈ、Ｃ１〜Ｃ１８アルキル、Ｅにより置換及び／又はＤにより中断されているＣ１〜Ｃ１８アルキル、Ｃ６〜Ｃ２４アリール、Ｇにより置換されているＣ６〜Ｃ２４アリール、又はＣ２〜Ｃ２０ヘテロアリール、又はＧにより置換されているＣ２〜Ｃ２０ヘテロアリールであるか、あるいは
Ｒ９及びＲ１０は一緒に５又は６員環を形成し、これは場合によりＣ１〜Ｃ１８アルキル、Ｅにより置換及び／又はＤにより中断されているＣ１〜Ｃ１８アルキル、Ｃ６〜Ｃ２４アリール、Ｇにより置換されているＣ６〜Ｃ２４アリール、Ｃ２〜Ｃ２０ヘテロアリール、Ｇにより置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅにより置換及び／又はＤにより中断されているＣ１〜Ｃ１８アルコキシ、Ｃ７〜Ｃ２５アラルキル、又は−Ｃ（＝Ｏ）ＮＲ１７により置換されることができ、
Ｒ１６及びＲ１７は、互いに独立して、Ｈ；Ｃ６〜Ｃ１８アリール；Ｃ１〜Ｃ１８アルキル若しくはＣ１〜Ｃ１８アルコキシにより置換されているＣ６〜Ｃ１８アリール；Ｃ１〜Ｃ１８アルキル；又は−Ｏ−により中断されているＣ１〜Ｃ１８アルキルであり、
Ｄは、−ＣＯ−、−ＣＯＯ−、−Ｓ−、−ＳＯ−、−ＳＯ２−、−Ｏ−、−ＮＲ６５−、−ＳｉＲ７０Ｒ７１−、−ＰＯＲ７２−、−ＣＲ６３＝ＣＲ６４−、又は−Ｃ≡Ｃ−であり、
Ｅは、−ＯＲ６９、−ＳＲ６９、−ＮＲ６５Ｒ６６、−ＣＯＲ６８、−ＣＯＯＲ６７、−ＣＯＮＲ６５Ｒ６６、−ＣＮ、−ＯＣＯＯＲ６７、又はハロゲンであり、
Ｇは、Ｅ又はＣ１〜Ｃ１８アルキルであり、
Ｒ６３、Ｒ６４、Ｒ６５、及びＲ６６は、互いに独立して、Ｈ；Ｃ６〜Ｃ１８アリール；Ｃ１〜Ｃ１８アルキル、Ｃ１〜Ｃ１８アルコキシにより置換されているＣ６〜Ｃ１８アリール；Ｃ１〜Ｃ１８アルキル；又は−Ｏ−により中断されているＣ１〜Ｃ１８アルキルであるか、あるいは
Ｒ６５及びＲ６６は一緒に５又は６員環、特に
【化９】
2007516315.tif 000010
を形成し、
Ｒ６７及びＲ６８は、互いに独立して、Ｈ；Ｃ６〜Ｃ１８アリール；Ｃ１〜Ｃ１８アルキル若しくはＣ１〜Ｃ１８アルコキシにより置換されているＣ６〜Ｃ１８アリール；Ｃ１〜Ｃ１８アルキル；又は−Ｏ−により中断されているＣ１〜Ｃ１８アルキルであり、
Ｒ６９は、Ｈ；Ｃ６〜Ｃ１８アリール；Ｃ１〜Ｃ１８アルキル、Ｃ１〜Ｃ１８アルコキシにより置換されているＣ６〜Ｃ１８アリール；Ｃ１〜Ｃ１８アルキル；又は−Ｏ−により中断されているＣ１〜Ｃ１８アルキルであり、
Ｒ７０及びＲ７１は、互いに独立して、Ｃ１〜Ｃ１８アルキル、Ｃ６〜Ｃ１８アリール、又は、Ｃ１〜Ｃ１８アルキルにより置換されているＣ６〜Ｃ１８アリールであり、
Ｒ７２は、Ｃ１〜Ｃ１８アルキル、Ｃ６〜Ｃ１８アリール、又は、Ｃ１〜Ｃ１８アルキルにより置換されているＣ６〜Ｃ１８アリール；
【化１０】
2007516315.tif 000011
であり、
ここで、Ｒ４１は、各々の出現が同じであるか又は異なることができ、Ｃｌ、Ｆ、ＣＮ、Ｎ（Ｒ４５）２、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子が、Ｏ、Ｓ、又はＮにより置換されることができ、及び／又は１つ以上の非芳香族基Ｒ４１により置換されることができる）であるか、あるいは
２つ以上のＲ４１基が環系を形成し；
Ｒ４２は、各々の出現が同じであるか又は異なることができ、ＣＮ、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１により置換されることができる）であるか、あるいは
２つ以上のＲ４１基が環系を形成し；
Ｒ４４は、各々の出現が同じであるか又は異なることができ、水素原子、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１若しくはＣＮにより置換されることができる）であるか、あるいは
互いに隣接する２つ以上のＲ４４基が環を形成し；
Ｒ４５は、Ｈ、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１により置換されることができる）であり；
ｍは、各々の出現が同じであるか又は異なることができ、０、１、２、又は３、特に０、１、又は２、非常に特に０又は１であり；
ｎは、各々の出現が同じであるか又は異なることができ、０、１、２、又は３、特に０、１、又は２、非常に特に０又は１であり；
ｏは、１、２、又は３、特に１又は２であり、ｕは、１、２、３、又は４であり；
Ａ１は、１つ以上の非芳香族基Ｒ４１又はＮＯ２により置換されることができるＣ６〜Ｃ２４アリール基、Ｃ２〜Ｃ３０ヘテロアリール基、特にフェニル、ナフチル、アントリル、ビフェニルイル、２−フルオレニル、フェナントリル、又はペリレニルであり、
Ａ２及びＡ３は、互いに独立して、場合により置換されることができるＣ６〜Ｃ３０アリーレン基又はＣ２〜Ｃ２４ヘテロアリーレン基、特に
【化１１】
2007516315.tif 000012
であり、ここで
Ｒ６、Ｒ７、Ｒ９、及びＲ１０は、先に定義した通りであり、
Ｒ８は、Ｈ、Ｃ１〜Ｃ１８アルキル、Ｅにより置換及び／又はＤにより中断されているＣ１〜Ｃ１８アルキル、Ｃ６〜Ｃ２４アリール、又はＣ７〜Ｃ２５アラルキルであり、
Ｒ１４及びＲ１５は、互いに独立して、Ｈ、Ｃ１〜Ｃ１８アルキル、Ｅにより置換及び／又はＤにより中断されているＣ１〜Ｃ１８アルキル、Ｃ６〜Ｃ２４アリール、Ｅにより置換されているＣ６〜Ｃ２４アリール、又はＣ２〜Ｃ２０ヘテロアリール、Ｅにより置換されているＣ２〜Ｃ２０ヘテロアリール（ここでＥ及びＤは、先に定義した通りである）、
【化１２】
2007516315.tif 000013
（式中、Ｒ４１及びｍ及びｎは、先に定義した通りであり、
ｐは、０、１、又は２、特に０又は１である）；
【化１３】
2007516315.tif 000014
2007516315.tif 000015
であり、
ここでＸは、Ｏ、Ｓ、又はＮＲ４５であり、
Ｒ４３は、水素原子、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１若しくはＣＮにより置換されることができる）であるか、あるいは
互いに隣接する２つ以上のＲ４３及び／又はＲ４４基は、環を形成し；Ａ１、Ｒ４１、Ｒ４２、Ｒ４４、Ｒ４５、ｍ、ｎ、ｏ、及びｐは、先に定義した通りである）
からなる群より選択された１つ以上（少なくとも１つ）の反復単位Ａｒ３；及び／又は
【化１４】
2007516315.tif 000016
（式中、
Ｘ１は、水素原子又はシアノ基であり、
Ｒ４１は、各々の出現が同じであるか又は異なることができ、Ｃｌ、Ｆ、ＣＮ、Ｎ（Ｒ４５）２、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、１つ以上の水素原子がＦにより置換されることができる）、Ｃ６〜Ｃ２４アリール基、又はＣ６〜Ｃ２４アリールオキシ基（１つ以上の炭素原子が、Ｏ、Ｓ、又はＮにより置換されることができ、及び／又は１つ以上の非芳香族基Ｒ４１により置換されることができる）であるか、あるいは
２つ以上のＲ４１基が環系を形成し；
ｎは、各々の出現が同じであるか又は異なることができ、０、１、２、又は３、特に０、１、又は２、非常に特に０又は１であり、ｕは、１、２、３、又は４であり；
Ａ１は、Ｃ６〜Ｃ２４アリール基、Ｃ２〜Ｃ３０ヘテロアリール基、特にフェニル、ナフチル、アントリル、ビフェニルイル、２−フルオレニル、フェナントリル、又はペリレニルであり、これらは１つ以上の非芳香族基Ｒ４１により置換されることができる）
からなる群より選択された反復単位−Ｔ−を含む、請求項１〜３のいずれか一に記載のポリマー。
【請求項５】
前記ポリマーが、式
【化１５】
2007516315.tif 000017
（式中、
Ｒ１及びＲ２は、互いに独立して、１つ以上の酸素原子により中断されることができるＣ１〜Ｃ２５アルキル基、特にＣ４〜Ｃ１２アルキル基であり、
Ｒ６及びＲ７は先に定義した通りであり、特に、Ｈ、ハロゲン、ＣＮ、Ｃ１〜Ｃ１２アルキル、Ｃ１〜Ｃ１２アルコキシ、又はＣ６〜Ｃ１４アリールであり、
Ａ１は、１つ以上の非芳香族基Ｒ４１又はＮＯ２により置換されることができるＣ６〜Ｃ２４アリール基、Ｃ２〜Ｃ３０ヘテロアアリール基、好ましくはＣ１〜Ｃ４アルキル又はＮＯ２により置換されることができるフェニル基、特に
【化１６】
2007516315.tif 000018
又はアントリル基、特にアントリ−２−イル基であり、
Ａｒ１及びＡｒ２は、互いに独立して、式
【化１７】
2007516315.tif 000019
（式中、
Ｒ６は、水素、Ｃ１〜Ｃ１８アルキル、又はＣ１〜Ｃ１８アルコキシであり、Ｒ３２は、メチル、Ｃｌ、又はＯＭｅである）
で示される基である）
で示される反復単位を含む、請求項４に記載のポリマー。
【請求項６】
前記ポリマーが、式
【化１８】
2007516315.tif 000020
（式中、
Ｒ１及びＲ２は、互いに独立して、これは１つ以上の酸素原子により中断されることができるＣ１〜Ｃ２５アルキル基、特にＣ４〜Ｃ１２アルキル基であり、
Ａｒ１及びＡｒ２は、互いに独立して、式
【化１９】
2007516315.tif 000021
（式中、
Ｒ６は、水素、Ｃ１〜Ｃ１８アルキル、又はＣ１〜Ｃ１８アルコキシであり、Ｒ３２は、メチル、Ｃｌ、又はＯＭｅである）
で示される基である）
で示される反復単位を含むホモポリマーである、請求項１に記載のポリマー。
【請求項７】
前記ポリマーが、式
【化２０】
2007516315.tif 000022
で示される反復単位及び反復単位
【化２１】
2007516315.tif 000023
を含み、ここで
Ｒ１及びＲ２は、互いに独立して、１つ以上の酸素原子により中断されることができるＣ１〜Ｃ２５アルキル基、特にＣ４〜Ｃ１２アルキル基であり、Ａｒ１及びＡｒ２は、互いに独立して、式
【化２２】
2007516315.tif 000024
で示される基であり、−Ａｒ３−は、式
【化２３】
2007516315.tif 000025
で示される基であり、ここで
Ｒ６は、水素、Ｃ１〜Ｃ１８アルキル、又はＣ１〜Ｃ１８アルコキシであり、Ｒ３２は、メチル、Ｃｌ、又はＯＭｅであり、Ｒ８は、Ｈ、Ｃ１〜Ｃ１８アルキル、又はＥにより置換及び／又はＤにより中断されているＣ１〜Ｃ１８アルキル、特に、−Ｏ−により中断されているＣ１〜Ｃ１８アルキルであり、ここでのＤ及びＥは、請求項４に定義した通りである、請求項１に記載のポリマー。
【請求項８】
前記ポリマーが、式
【化２４】
2007516315.tif 000026
で示される反復単位、式
【化２５】
2007516315.tif 000027
で示される反復単位、特に
【化２６】
2007516315.tif 000028
で示される反復単位を含むターポリマーであり、ここで
Ｒ１及びＲ２は、互いに独立して、１つ以上の酸素原子により中断されることができるＣ１〜Ｃ２５アルキル基、特にＣ４〜Ｃ１２アルキル基であり、Ａｒ１及びＡｒ２は、互いに独立して、式
【化２７】
2007516315.tif 000029
で示される基であり、
Ｒ６及びＲ７は、互いに独立して、Ｈ、ハロゲン、ＣＮ、Ｃ１〜Ｃ１２アルキル、Ｃ１〜Ｃ１２アルコキシ、又はＣ６〜Ｃ１４アリールであり、
Ｒ４１は、Ｃｌ、Ｆ、ＣＮ、Ｎ（Ｒ４５）２、Ｃ１〜Ｃ１８アルキル、Ｃ１〜Ｃ１８アルコキシ、又はＣ６〜Ｃ１４アリールであり、
Ｒ４５は、Ｈ、Ｃ１〜Ｃ２５アルキル基、又はＣ１〜Ｃ２５アルコキシ基であり、
ｎは、０、１、又は２である、請求項１に記載のポリマー。
【請求項９】
前記ポリマーが、式
【化２８】
2007516315.tif 000030
（式中、
Ｒ１、Ｒ２、Ａｒ１、Ａｒ２、Ｔ、及びＡｒ３は、請求項１に定義した通りであり、
ａは１であり、
ｂは、０又は１であり、
ｃは、０．００５〜１であり、
ｄは、０又は１であり、
ｅは、０又は１であり、ただし、ｄが０である場合、ｅは１ではなく、
ｆは、０．９９５〜０であり、ただし、ｃとｆの合計は１である）
で示されるポリマーである、請求項１に記載のポリマー。
【請求項１０】
請求項１〜９のいずれか一に記載のポリマーを含む、電子デバイス又はその電子部品。
【請求項１１】
ポリマー発光ダイオード（ＰＬＥＤ）における特にエレクトロルミネセント材料としての、請求項１記載のポリマーの使用。
【請求項１２】
請求項１記載のポリマーの１種類以上を含む、ＰＬＥＤ、有機集積回路（Ｏ−ＩＣ）、有機電界効果トランジスタ（ＯＦＥＴ）、有機薄膜トランジスタ（ＯＴＦＴ）、有機太陽電池（Ｏ−ＳＣ）、又は有機レーザーダイオード。
【手続補正２】
【補正対象書類名】明細書
【補正対象項目名】００２８
【補正方法】変更
【補正の内容】
【００２８】
ポリマーの正孔注入又は正孔輸送特性を向上する好ましいＩＩ群の単位は、
【化５５】
2007516315.tif 000031
であり、
ここで、Ｒ４１は、各々の出現が同じであるか又は異なることができ、Ｃｌ、Ｆ、ＣＮ、Ｎ（Ｒ４５）２、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、１つ以上の水素原子がＦにより置換されることができる）、Ｃ６〜Ｃ２４アリール基、又はＣ６〜Ｃ２４アリールオキシ基（１つ以上の炭素原子が、Ｏ、Ｓ、又はＮにより置換されることができ、及び／又は１つ以上の非芳香族基Ｒ４１により置換されることができる）であるか、あるいは
２つ以上のＲ４１基が環系を形成し；
Ｒ４２は、各々の出現が同じであるか又は異なることができ、ＣＮ、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１又はＣＮにより置換されることができる）であるか、あるいは
２つ以上のＲ４１基が環系を形成し；
Ｒ４４は、各々の出現が同じであるか又は異なることができ、水素原子、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１若しくはＣＮにより置換されることができる）であるか、あるいは
互いに隣接する２つ以上のＲ４４基が環を形成し；
Ｒ４５は、Ｈ、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１により置換されることができる）であり；
ｍは、各々の出現が同じであるか又は異なることができ、０、１、２、又は３、特に０、１、又は２、非常に特定すると０又は１であり；
ｎは、各々の出現が同じであるか又は異なることができ、０、１、２、又は３、特に０、１、又は２、非常に特に０又は１であり；
ｏは、１、２、又は３、特に１又は２であり、ｕは、１、２、３、又は４であり；
Ａ１は、Ｃ６〜Ｃ２４アリール基、Ｃ２〜Ｃ３０ヘテロアリール基（これらは１つ以上の非芳香族基Ｒ４１又はＮＯ２により置換されることができる）、特にフェニル、ナフチル、アントリル、ビフェニルイル、２−フルオレニル、フェナントリル、又はペリレニルであり、これは１つ以上の非芳香族基Ｒ４１により置換されることができ、
Ａ２及びＡ３は、互いに独立して、Ｃ６〜Ｃ３０アリーレン基又はＣ２〜Ｃ２４ヘテロアリーレン基（場合により置換されることができる）、特に
【化５６】
2007516315.tif 000032
であり、ここで
Ｒ６、Ｒ７、Ｒ９、及びＲ１０は、先に定義した通りであり、
Ｒ８は、Ｈ、Ｃ１〜Ｃ１８アルキル、Ｅにより置換及び／又はＤにより中断されているＣ１〜Ｃ１８アルキル、Ｃ６〜Ｃ２４アリール、又はＣ７〜Ｃ２５アラルキルであり、
Ｒ１４及びＲ１５は、互いに独立して、Ｈ、Ｃ１〜Ｃ１８アルキル、Ｅにより置換及び／又はＤにより中断されているＣ１〜Ｃ１８アルキル、Ｃ６〜Ｃ２４アリール、Ｇにより置換されているＣ６〜Ｃ２４アリール、又はＣ２〜Ｃ２０ヘテロアリール、Ｇにより置換されているＣ２〜Ｃ２０ヘテロアリールであり、ここでＥ、Ｇ及びＤは、先に定義した通りである。前記のＩＩ群の単位の中で、式ＩＩａ、ＩＩｂ、ＩＩｆ、ＩＩｇ、ＩＩｋ、ＩＩｍ、ＩＩｎ、ＩＩｏ、及びＩＩｐの単位がより好ましい。
【手続補正３】
【補正対象書類名】明細書
【補正対象項目名】００４０
【補正方法】変更
【補正の内容】
【００４０】
式ＩＩとＩＩＩの単位の組合せである好ましいＩＶ群の単位は、
【化６１】
2007516315.tif 000033
2007516315.tif 000034
であり、ここで、
Ｘは、Ｏ、Ｓ、又はＮＲ４５であり、
Ｒ４３は、水素原子、Ｃ１〜Ｃ２５アルキル基、Ｃ４〜Ｃ１８シクロアルキル基、Ｃ１〜Ｃ２５アルコキシ基（互いに隣ではない１つ以上の炭素原子が、−ＮＲ４５−、−Ｏ−、−Ｓ−、−Ｃ（＝Ｏ）−Ｏ−、又は−Ｏ−Ｃ（＝Ｏ）−Ｏ−により置換されることができ、及び／又は１つ以上の水素原子がＦにより置換されることができる）、Ｃ６〜Ｃ２４アリール基、又はＣ６〜Ｃ２４アリールオキシ基（１つ以上の炭素原子がＯ、Ｓ、又はＮにより置換されることができ、及び／又は１つ以上の非芳香族基Ｒ４１若しくはＣＮにより置換されることができる）であるか、あるいは
互いに隣接する２つ以上のＲ４３及び／又はＲ４４基は、環を形成し；
ｏは、１、２、又は３、特に１又は２であり、
Ａ１、Ｒ４１、Ｒ４２、Ｒ４４、Ｒ４５、ｍ、ｎ、及びｐは、先に定義した通りである。前記のＩＶ群の単位の中で、式ＩＶｂ、ＩＶｃ、及びＩＶｎの単位がより好ましい。